【事件の表示】
　特願２０１１−５２３０４３「Ａ／Ｖ機器を使用して、制御される機器の通信関連パラメータを送信することによる遠隔制御装置のプログラム」拒絶査定不服審判事件〔平成２２年　２月１８日国際公開、ＷＯ２０１０／０１９４２１、平成２３年１２月２２日国内公表、特表２０１１−５３０７７０〕について、次のとおり審決する。
【結　論】
　本件審判の請求は、成り立たない。
【理　由】
第１　手続の経緯  
　本願は、２００９年８月５日（パリ条約による優先権主張外国庁受理２００８年８月１２日、米国）を国際出願日とする出願であって、平成２４年１０月１０日付けで拒絶理由通知がなされ、平成２５年１月１６日付けで手続補正がなされ、同年８月１６日付けで拒絶査定がなされ、これに対し、同年１２月１７日に拒絶査定不服審判の請求がなされると同時に手続補正がなされたものである。 
　
　
第２　平成２５年１２月１７日付けの手続補正についての補正却下の決定  
〔結論〕  
　平成２５年１２月１７日付けの手続補正を却下する。  
 　  
〔理由〕  
１．補正内容  
　平成２５年１２月１７日付けの手続補正（以下、「本件補正」と呼ぶ。）は、補正前の特許請求の範囲の請求項１を、補正後の請求項１に変更する補正事項を含むものである。  
　そして、補正前の請求項１に係る発明及び補正後の請求項１に係る発明は、それぞれ、以下のとおりである。
　なお、＜補正後の請求項１＞における下線は補正箇所を表している。  
　
 ＜補正前の請求項１＞  
 「　　【請求項１】
　遠隔制御装置（１０）から無線で受信したナビゲーション信号に応答して、ユーザが制御対象のコンポーネント（３８）を選択することをナビゲートできるようにする一連のグラフィックユーザインターフェイス（ＧＵＩ）を提示するように構成され、前記遠隔制御装置（１０）へ通信関連情報を送信することに応じて、前記ＧＵＩが、前記遠隔制御装置が正常にプログラムされたことを示し、これにより、前記遠隔制御装置が前記コンポーネント（３８）と通信できるようにする、ことを特徴とするオーディオビデオ（Ａ／Ｖ）機器（２４）。」 
　
 ＜補正後の請求項１＞  
「　　【請求項１】
　遠隔制御装置（１０）から無線で受信したナビゲーション信号に応答して、ユーザが制御対象のコンポーネント（３８）を選択することをナビゲートできるようにする一連のグラフィックユーザインターフェイス（ＧＵＩ）を提示するように構成され、前記遠隔制御装置（１０）へ通信関連情報を送信することに応じて、前記ＧＵＩが、前記遠隔制御装置が正常にプログラムされたことを示し、これにより、前記遠隔制御装置が前記コンポーネント（３８）と通信できるようにし、
　
前記一連のグラフィックユーザインターフェイス（ＧＵＩ）は、コンポーネントの種類をユーザに選択させる第１のＧＵＩと、当該第１のＧＵＩからのコンポーネントのタイプの選択に応じて、当該コンポーネントのタイプの複数のメーカーをリストする第２のＧＵＩと、当該第２のＧＵＩからのメーカーの選択に応じて、当該第２のＧＵＩから選択されたメーカーによって供給される型のリストを提示する第３のＧＵＩとを含み、第３のＧＵＩのリストから型をユーザに選択させ、これにより、オーディオビデオ（Ａ／Ｖ）機器に前記通信関連情報を送信させる
　
　なお、補正後の請求項１には、「当該第２のＧＵＩから選択されたメーカーによって供給される型のリストを提示する第３のＧＵＩとを含み、第３のＧＵＩのリストからメーカーをユーザに選択させ、」との記載があるが、そこでいう「第３のＧＵＩ」が「選択されたメーカーによって供給される型のリスト」を提示するものとされていること等からみて、上記記載中の「第３のＧＵＩのリストから
メーカー
型
　
２．本件補正に対する判断  
　本件補正の内の上記補正事項は、補正前の請求項１に記載した発明を特定するために必要な事項を限定するものであって、特許法第１７条の２第５項第２号の特許請求の範囲の減縮を目的とするものに該当する。　
　そこで、本件補正後の上記請求項１に記載された発明（以下、「本願補正発明」と呼ぶ。）が特許出願の際独立して特許を受けることができるものであるか（特許法第１７条の２第６項において準用する同法第１２６条第７項の規定に適合するか）について、以下検討する。  
　
２−１．本願補正発明  
　本願補正発明は、上記「１．」の＜補正後の請求項１＞の欄に記載したとおりのものである。
　
　ただし、補正後の請求項１でいう「コンポーネントの種類」と「コンポーネントのタイプ」は、補正後の請求項１の文脈上も、発明の詳細な説明全体からも、相互に同じものを指しているとしか解されないので、両者は、相互に同じものを指していると解する。
　
　また、補正後の請求項１の
「前記遠隔制御装置（１０）へ通信関連情報を送信することに応じて、
前記ＧＵＩが、前記遠隔制御装置が正常にプログラムされたことを示し、これにより、
「前記遠隔制御装置（１０）へ通信関連情報を送信することによって、前記遠隔制御装置が前記コンポーネント（３８）と通信できるようにするものであって、前記遠隔制御装置（１０）へ通信関連情報が送信された後に、遠隔制御装置（１０）からの確認応答信号に応答して、前記ＧＵＩが、前記遠隔制御装置が正常にプログラムされたことを示すもの。」
　
（１）上記記載Ａは、表面的には、本願補正発明に係る「オーディオビデオ（Ａ／Ｖ）機器（２４）」が、「『前記遠隔制御装置（１０）へ通信関連情報を送信すること』という動作に応答して『前記ＧＵＩが、前記遠隔制御装置が正常にプログラムされたことを示し』という動作が行われ、それらの動作によって、『前記遠隔制御装置』が『前記コンポーネント（３８）』と通信できるようにするもの」であるといった技術的事項を規定しているかのようにも解されるが、以下の理由で、そのような解釈は妥当な解釈ではない。
ア．上記のような技術的事項を表していると解することができる記載は、発明の詳細な説明にも、出願当初の特許請求の範囲にも存在しない。
イ．また、「遠隔制御装置が正常にプログラムされたこと」を確認することなく、「遠隔制御装置（１０）へ通信関連情報を送信すること」という動作のみに応じて、（オーディオビデオ（Ａ／Ｖ）機器（２４）の）ＧＵＩが、「遠隔制御装置が正常にプログラムされたこと」を示すのは不自然である。
ウ．さらに、「（オーディオビデオ（Ａ／Ｖ）機器（２４）の）ＧＵＩが『遠隔制御装置が正常にプログラムされたこと』を示すことによって、遠隔制御装置がコンポーネントと通信できるようにすることが実現される」ということも、通常では考えにくいことである。
　
（２）上記「記載Ａ」に対応すると考えられる発明の詳細な説明の記載としては、明細書の段落【０００４】の
「オーディオビデオ（Ａ／Ｖ）機器が、遠隔制御装置から無線で受信したナビゲーション信号に応答して、ユーザが制御対象のコンポーネントを選択することをナビゲートできるようにする一連のグラフィックユーザインターフェイス（ＧＵＩ）を提示するように構成される。これに応じて、Ａ／Ｖ機器は、遠隔制御装置へ通信関連情報を送信して、遠隔制御装置がコンポーネントと通信できるようにする。」
という記載と、明細書の段落【００１８】（出願人（請求人）が上記記載Ａの下線部を導入する補正（平成２５年１月１６日付け手続補正書）をした際に、同日付け意見書において当該補正の根拠としている箇所）の
「所望の場合、及び再び図２を参照すると、（単複の）コードがＡ／Ｖ機器２４から遠隔制御装置１０へ送信された後に、遠隔制御装置が正常にプログラムされたことを示す第５のＧＵＩをＡ／Ｖのディスプレイ２６上に提示することができる。このＧＵＩは、有効なコードを受信したという遠隔制御装置１０からの確認応答信号に応答して提示することができる。」
という記載があるのみであるが、それらの記載によれば、上記「記載Ａ」は上記「技術的事項Ａ」を当然に含んでいると解するのが妥当である。
　
（３）上記「記載Ａ」を上記「技術的事項Ａ」を含む意味に解しても、当該「記載Ａ」の文言を逸脱するとまではいえない。逆に、そのように解さない場合には、本願は、いわゆるサポート要件を満たさないことになるし、上記「記載Ａ」の下線部を導入した補正は、いわゆる新規事項を追加する補正に該当することになる。
　
２−２．引用例  
　原査定の拒絶の理由に引用された、特開２００７−１１６６３１号公報（以下、「引用例」と呼ぶ。）には、次の記載がある。  
「【技術分野】
【０００１】
　本発明は、例えばテレビジョン受像機と、その周辺機器例えばビデオテープレコーダ（ＶＴＲ）、ＤＶＤ（Digital Video Disc）プレーヤ、アンプ装置（ＡＭＰ）等とをリモートコントロールするリモートコントロールシステム及びリモートコマンダのプリセット方法に関する。
【背景技術】
【０００２】
　従来、例えばテレビジョン受像機と、その周辺機器例えばビデオテープレコーダ（ＶＴＲ）、ＤＶＤ（Digital Video Disc）プレーヤ、アンプ装置（ＡＭＰ）等とをリモートコントロールするリモートコマンダが提案されている。
【０００３】
　ところで、テレビジョン受像機、ビデオテープレコーダ、ＤＶＤプレーヤ、アンプ装置をリモートコントロールするリモコン信号は各会社及び各機種で異なっている。
【０００４】
　そこで、従来、各会社及び各機種の例えばテレビジョン受像機、ビデオテープレコーダ、ＤＶＤプレーヤ、アンプ装置をリモートコントロールするリモートコマンダとして、このリモートコマンダの内部にＲＯＭ等の各社種リモコン信号記憶装置を設け、この各社種リモコン信号記憶装置にＡ社、Ｂ社、Ｃ社…の各社の例えばテレビジョン受像機、ビデオテープレコーダ、ＤＶＤプレーヤ、アンプ装置の機種の夫々に対応したリモコン信号を予め記憶しておき、使用する会社の機種に応じたリモコン信号をプリセットキー、選択キー等を用いて、この各社種リモコン信号記憶装置より読み出し、これをリモコン信号として使用し、リモートコントロールするようにしたものが提案されている。
【０００５】
　また、特許文献１には、ＶＴＲ本体に設けたメモリに各会社や機種（テレビジョン受像機）で定義されているリモコン信号を予め記憶しておき、このＶＴＲ本体に設けたモード切換キー、項目選択キー、セットキー、実行キーと表示部とを使用して、このメモリより使用する機器の会社及び機器に応じたリモコン信号を読み出し、この読み出したリモコン信号をＶＴＲ本体よりプリセットリモートコマンダに有線で転送するようにしたものが開示されている。
【特許文献１】特開平４−２６７６９６号公報
【発明の開示】
【発明が解決しようとする課題】
【０００６】
　然しながら、リモートコマンダの内部にＲＯＭ等の各社種リモコン信号記憶装置を設け、この各社種リモコン信号記憶装置にＡ社、Ｂ社、Ｃ社…の各社の例えばテレビジョン受像機、ビデオテープレコーダ、ＤＶＤプレーヤ、アンプ装置の機種の夫々に対応したリモコン信号を予め記憶しておくようにしたものにおいては、対応機種が増えるに連れ、記憶容量を増大する必要があり、また、このリモートコマンダを使用するモードの外にこの予め記憶したリモコン信号を設定するのに、設定モードにしてから、記憶を呼び出す設定操作を行う必要があり、データ容量以外にプログラム容量を必要とし、このリモートコマンダが大容量を必要とすると共に複雑化し、高価となる不都合があった。
【０００７】
　更に、この予め記憶したリモコン信号を読み出すのにユーザーがキーの多重押し対応等を強いられることになり、上手に設定できず、この操作が困難である不都合があった。
【０００８】
　また、このリモコン信号は予め各社種リモコン信号記憶装置に記憶しておくので、このリモコン信号の更新ができない不都合があった。
【０００９】
　また、特許文献１に開示のものは、リモートコマンダをプリセットするのにＶＴＲ本体に設けたモード切換キー、項目選択キー、セットキー、実行キーを使用して行うので操作性が悪い不都合があった。
【００１０】
　本発明は、斯かる点に鑑み、リモートコマンダを安価にできるようにすると共に操作性良く良好にこのリモートコマンダにプリセットすることができるようにすることを目的とする。
【課題を解決するための手段】
【００１１】
　本発明リモートコントロールシステムは、表示手段を有すると共に従属機器に信号を供給し、且つリモコン信号を受信する第１のリモコン信号受信手段を有する主機器と、この従属機器及びこの主機器をリモートコントロールするリモコン信号を送信する第１のリモコン信号送信手段を有すると共にこの第１のリモコン信号送信手段に供給するリモコン信号を記憶するリモコン信号記憶手段とを有するリモートコマンダとより成るリモートコントロールシステムにおいて、この主機器に各会社及び各機種で定義されているこの従属機器のリモコン信号を記憶した各社種リモコン信号記憶手段を設けると共に第２のリモコン信号送信手段を設け、このリモートコマンダに第２のリモコン信号受信手段と、この表示手段にメニュー項目を表示させるメニューキー、この表示手段の表示項目を選択する選択キーと、この選択キーによる選択を決定する決定キーとを設け、このリモートコマンダのこのリモコン信号記憶手段に記憶されていない従属機器のリモコン信号をプリセットするときに、このリモートコマンダのメニューキー、選択キー及び決定キーを使用すると共にこの表示手段の表示内容より、この主機器のこの各社種リモコン信号記憶手段に記憶したリモコン信号を選択し、この選択リモコン信号をこの第２のリモコン信号送信手段により送信し、このリモートコマンダのこの第２のリモコン信号受信手段で受信して、このリモコン信号記憶手段に記憶するようにしたものである。
【発明の効果】
【００１２】
　本発明によれば、リモートコマンダのこのリモコン信号記憶手段に記憶されていない従属機器のリモコン信号をプリセットするときに、このリモートコマンダのメニューキー、選択キー及び決定キーを使用すると共に主機器の表示手段の表示内容より、この主機器の各社種リモコン信号記憶手段に記憶したリモコン信号を選択し、この選択リモコン信号をこのリモートコマンダに送信しているので、このプリセット操作が容易であり、また、リモートコマンダ内に各社種リモコン信号記憶手段を設けないので、リモートコマンダの構成が複雑化せず安価となる。」 
　
「【発明を実施するための最良の形態】
【００１３】
　以下、図面を参照して本発明リモートコントロールシステム及びリモートコマンダのプリセット方法を実施するための最良の形態の例につき説明する。
【００１４】
　図１において、１は主機器を構成するテレビジョン受像機を示し、このテレビジョン受像機1は、周知の如く構成されたもので、このテレビジョン受像機１には、マイクロコンピュータより成る主中央制御装置等より成るテレビジョン機能制御部１ａを設ける。このテレビジョン機能制御部１ａよりの映像信号を液晶表示装置等より成る映像表示部１ｂに供給するようになされ、この映像表示部１ｂにより所望のテレビジョン映像画面が得られる如くなされている。
【００１５】
　また、このテレビジョン機能制御部１ａには周知のマイクロコンピュータ等より成る所定のプログラムを有するＧＵＩ（Graphical User Interface）用中央制御装置（ＧＵＩ用ＣＰＵ）２を有し、このＧＵＩ用中央制御装置２により所定のメニュー画面、所定の項目画面等を映像表示部１ｂに表示する如くなされている。
【００１６】
　図１において、１ｃはリモートコマンダ３よりの赤外線のリモコン信号を受信するリモコン信号受信回路を示し、このリモコン信号受信回路１ｃよりのリモコン信号により、このテレビジョン受像機の種々の動作をリモートコントロールする。　
【００１７】
　このテレビジョン受像機１に得られる映像信号及び音声信号を周辺機器である従属機器を構成するＤＶＤプレーヤ４とビデオテープレコーダ５とに、夫々供給するごとくすると共にこのＤＶＤプレーヤ４及びビデオテープレコーダ５に得られる映像信号及び音声信号を、このテレビジョン受像機１に供給する如くし、このテレビジョン受像機１の映像表示部１ｂ等を使用し、再生する。
【００１８】
　また、このテレビジョン受像機１に得られる音声信号をアンプ装置６を介してスピーカ７に供給し、テレビジョン受像機１よりの所定の音声信号を再生する如くする。
【００１９】
　また、これ等ＤＶＤプレーヤ４、ビデオテープレコーダ５及びアンプ装置６は赤外線のリモコン信号を受信するリモコン信号受信回路４ａ、５ａ及び６ａを有しており、リモートコマンダ３よりの赤外線のリモコン信号により夫々リモートコントロールされる如くなされている。
【００２０】
　また、本例によるリモートコマンダ３は図２に示す如く、操作機器の選択ボタン８ａ，８ｂ，８ｃ及び８ｄを有し、この選択ボタン８ａ，８ｂ，８ｃ及び８ｄを操作することにより、このリモートコマンダ３をテレビジョン受像機１、ＤＶＤプレーヤ４、ビデオテープレコーダ５及びアンプ装置６をリモートコントロールするリモートコマンダとして切換使用することができる如くなされている。　
【００２１】
　図２において、９はメニューキーを示し、このメニューキー９を操作したときは、テレビジョン受像機１のＧＵＩ用中央制御装置２の動作により、テレビジョン受像機１に映像表示部１ｂの映像画面に図４に示す如きメニュー項目を表示するようになされている。
【００２２】
　図２において、１０は、映像表示部１ｂの映像画面上のカーソル２２をＧＵＩ画面に従って上下左右に移動し、映像表示画面の表示項目を選択する選択キーを示し、また、１１はこの選択キー１０による選択を決定する決定キーである。
【００２３】
　図３は、このリモートコマンダ３の構成図を示し、このリモートコマンダ３はマイクロコンピュータより成る中央制御装置（ＣＰＵ）１２とこの中央制御装置１２に接続されたキー群を構成するキーマトリックス１３と、赤外線のリモコン信号を送信するリモコン信号送信回路１４とを有する。
【００２４】
　この中央制御装置１２には、テレビジョン受像機１、ＤＶＤプレーヤ４、ビデオテープレコーダ５及びアンプ装置６の夫々のリモコン信号の記憶領域１５ａ、１５ｂ、１５ｃ及び１５ｄを有するリモコン信号記憶装置１５が設けられている。
【００２５】
　この中央制御装置１２は、キーマトリックス１３で操作されたキーに応じたリモコン信号をリモコン信号記憶装置１５より読み出し、この読み出されたリモコン信号をリモコン信号送信回路１４より送信する如くなす。
【００２６】
　本例においては、このリモートコマンダ３に赤外線のリモコン信号を受信するリモコン信号受信回路１６を設け、このリモコン信号受信回路１６に供給されるリモコン信号をリモコン信号記憶装置１５の対応機器の記憶領域１５ａ、１５ｂ、１５ｃ及び１５ｄに書き込み又は書き変える如くする。この場合、本例においては、記憶領域１５ａには、テレビジョン受像機１のリモコン信号が記憶されているものとする。このリモートコマンダ３は、その他は周知のリモートコマンダと同様に構成する。
【００２７】
　本例においては、テレビジョン受像機１にフラッシュマイクロコンピュータ等より成る副中央制御装置（ＳＵＢ　ＣＰＵ）１７を設け、この副中央制御装置１７をテレビジョン受像機１のテレビジョン機能制御部１ａを構成するマイクロコンピュータより成る主中央制御装置（ＣＰＵ）にバスを介して接続する如くする。
【００２８】
　本例においては、この副中央制御装置１７に、図４に示す如き、Ａ社、Ｂ社、Ｃ社…の各会社及び各機種で定義されているこの従属機器例えばＤＶＤプレーヤ４、ビデオテープレコーダ５及びアンプ装置６の夫々のリモコン信号を予め記憶した各社種リモコン信号記憶装置１７ａを設ける。
【００２９】
　
・・・（中略）・・・
　
【００３１】
　次に、この主機器を構成するテレビジョン受像機１の従属機器としてのＤＶＤプレーヤ４、ビデオテープレコーダ５及びアンプ装置６の夫々のリモコン信号をリモートコマンダ３にプリセットする方法につき説明する。
【００３２】
　本例においては、ＤＶＤプレーヤ４として，Ａ社の設定番号００５を使用し、ビデオテープレコーダ５として、Ｂ社の設定番号１０５を使用し、アンプ装置６として、Ｃ社の設定番号７０１を使用するものとする。
【００３３】
　先ず、ＤＶＤプレーヤ４のリモコン信号をリモートコマンダ３にプリセットする例につき、図５、図６及び図７のフローチャートを参照して説明する。
【００３４】
　この場合、図５に示す如く、リモートコマンダ３のメニューキー９を操作する（ステップＳ１）。このときは、テレビジョン受像機１の映像表示部１ｂに図８に示すごとき、メニュー項目が表示されたメニュー画面が表示される。
【００３５】
　このとき、カーソル２２が表示されているかどうかを判断し（ステップＳ２）、このカーソル２２が表示されているときは、本例においては、選択キー１０により、映像画面のＧＵＩ画面上のカーソル２２を「リモコンプリセット設定」に移動し（ステップＳ３）、その後、決定キー１１を操作する（ステップＳ４）。このときは、リモートコマンダ３のリモコン信号記憶装置１５のどの記憶領域１５ａ、１５ｂ、１５ｃ及び１５ｄであるどのポジションに設定（記憶）するかの図９に示す如き画面表示が行われる（ステップＳ５）。
【００３６】
　ステップＳ２でカーソル２２が表示されないときには、メニューキー９が操作されたかを判断し（ステップＳ６）、操作されているときには、このモードをアウトし、メニューキー９が操作されていないときは、操作されたキーの処理を行う（ステップＳ７）。また、ステップＳ４で決定キー１１が操作されないときは、ステップＳ２に戻る。
【００３７】
　図９に示す如き画面表示で、ポジション設定を行うときも、図５のフローチャートに従って行われる。即ち、ステップＳ２で、カーソル２２が表示されているかどうかを判断し、このカーソル２２が表示されているときは、本例においては、選択キー１０により、映像画面のＧＵＩ画面上のカーソル２２を、このポジションをＤＶＤプレーヤの記憶領域１５ｂとするときには、図９に示す如く「ＤＶＤ」上に移動し（ステップＳ３）、その後、決定キー１１を操作する（ステップＳ４）。
【００３８】
　このときは、このポジション例えば記憶領域１５ｂに何の機器のリモコン信号を設定（記憶）するか、本例ではＤＶＤプレーヤ４のリモコン信号を記憶するかの図１０に示す如き画面表示が行われる（ステップＳ５）。
【００３９】
　この図１０に示す如き画面表示で、機器設定を行うときも、図５のフローチャートに従って行われる。即ち、ステップＳ２で、カーソル２２が表示されているかどうかを判断し、このカーソル２２が表示されているときは、選択キー１０により、映像画面のＧＵＩ画面上のカーソル２２を「ＤＶＤ」上に移動し（ステップＳ３）、その後、決定キー１１を操作する（ステップＳ４）。
【００４０】
　この場合、選択したポジション即ち、リモコン信号記憶装置１５のＤＶＤプレーヤの記憶領域１５ｂにＤＶＤプレーヤ４のリモコン信号を記憶することとなる。このときは、必ずしも、このＤＶＤプレーヤの記憶領域１５ｂにＤＶＤプレーヤ４のリモコン信号を記憶する必要はなく、他の所望の機器のリモコン信号を記憶し、他の所望の機器をこのリモートコマンダ３でリモートコントロールするようにしても良い。
【００４１】
　このステップＳ４で決定キー１１が操作されたときは、ＤＶＤプレーヤのメーカー（会社）と設定番号とを選択する図１１に示す如き画面表示が行われる（ステップＳ９）。
【００４２】
　この図１１に示す如き画面表示で、メーカー（会社）と設定番号とを選択するときも、図５のフローチャートに従って行われる。即ち、ステップＳ２で、カーソル２２が表示されているかどうかを判断し、このカーソル２２が表示されているときは、選択キー１０により、映像画面のＧＵＩ画面上のカーソル２２を図１１に示す如くＤＶＤプレーヤ４に対応する「Ａ社　００５」上に移動し（ステップＳ３）、その後、決定キー１１を操作する（ステップＳ４）。このときは、図１２に示す如き、設定内容を確認する確認画面を表示する（ステップＳ１０）。
【００４３】
　図１２に示す如き、設定内容の確認画面が表示されたときは、図６に示す如き、フローチャートに従って動作する。即ち、図１２に示す如き、設定内容の確認画面が表示されたときは、カーソル２２が表示されているかどうかを判断し（ステップＳ１１）、このカーソル２２が表示されているときは、選択キー１０により、［終了］、［動作確認］、［他の設定］のいずれかをカーソル２２を移動して選択する（ステップＳ１２）。
【００４４】
　選択キー１０で選択されたときは、決定キー１１で決定する（ステップＳ１３）。次に選択されたものが何であるかを判断し（ステップＳ１４）、選択されたものが［終了］のときは、ここで選択された、各社種リモコン信号記憶装置１７ａよりのＤＶＤプレーヤ４の［Ａ社　００５］のリモコン信号を赤外線ＡＶマウス１８よりリモートコマンダ３のリモコン信号受信回路１６に送信し、この［Ａ社　００５］のリモコン信号をリモートコマンダ３のリモコン信号記憶装置１５のＤＶＤプレーヤの記憶領域１５ｂ書き込み又は既に別のリモコン信号が書き込まれているときは、書き変え、記憶して（ステップＳ１５）終了する。
【００４５】
　また、ステップＳ１４で［他の設定］であったときには、ステップＳ１に移行し、上述同様にして他の設定を行う。また、このステップＳ１４で［動作確認］とされたときは、図１３に示す如き、動作確認の画面表示がされ（ステップＳ１８）、図７に示すフローチャートに従って動作確認の動作を行う。
【００４６】
　図６のフローチャートにおいて、　ステップＳ１１でカーソル２２が表示されないときには、メニューキー９が操作されたかを判断し（ステップＳ１６）、操作されているときには、このモードをアウトし、メニューキー９が操作されていないときは、操作されたキーの処理を行う（ステップＳ１７）。また、ステップＳ１３で決定キー１１が操作されないときは、ステップＳ１１に戻る。
　
・・・（中略）・・・
　
【００５２】
　また、ビデオテープレコーダ５のＢ社の設定番号１０５のリモコン信号及びアンプ装置６のＣ社の設定番号７０１のリモコン信号をリモートコマンダ３のリモコン信号記憶装置１５の記憶領域１５ｃ及び１５ｄに書き込み又は書き変えて記憶し、プリセットするときは、上述同様にして行うことができる。
【００５３】
　本例によれば、リモートコマンダ３のこのリモコン信号記憶装置１５に記憶されていない従属機器例えばＤＶＤプレーヤ４、ビデオテープレコーダ５及びアンプ装置６のリモコン信号をプリセットするときに、このリモートコマンダ３のメニューキー９、選択キー１０及び決定キー１１を使用すると共に主機器であるテレビジョン受像機１の映像表示部１ｂの表示内容より、このテレビジョン受像機１の各社種リモコン信号記憶装置１７ａに記憶したリモコン信号を選択し、この選択リモコン信号をこのリモートコマンダ３に送信しているので、このプリセット操作が容易であり、また、リモートコマンダ３内に各社種リモコン信号記憶手段を設けないので、リモートコマンダ３の構成が複雑化せず安価となる。
【００５４】
　また、本例によれば、リモートコマンダ３のリモコン信号記憶装置１５は実際に使用するリモコン信号のみを記憶するだけなので記憶容量は比較的小さくて良い。
【００５５】
　また、例えば、ＤＶＤプレーヤ４につき、例えばＤ社から新機種が発売され、その新機種を購入し、このテレビジョン受像機１の出入力端子に接続して使用し、このリモートコマンダ３でリモートコントロールするときには、図８のメニュー画面で「プリセット更新」を選択し、プリセット更新の処理を行う。
【００５６】
　このプリセット更新の処理は、Ｄ社がＷｅｂページに登録した、この新機種のリモコン信号をインターネットを介して取得し、又はパーソナルコンピュタ介して取得したこのリモコン信号をＵＳＢを介し又はステック状メモリを介して、このテレビジョン受像機１に取り入れ、この各社種リモコン信号記憶装置１７ａに書き込むようにすれば、上述同様にしてリモートコマンダ３のリモコン信号記憶装置１５の所定の記憶領域１５ｂ、１５ｃ、１５ｄを書き変えることができ、リモコン信号を更新することができる。」 
 　
　ここで、上記記載事項を引用例の関連図面と技術常識に照らせば、以下のことがいえる。  
　
（１）引用例の段落【００１４】〜【００１６】、【００３１】〜【００４４】の記載を特に参照すると、引用例のテレビジョン受像機１は、リモートコマンダ３から受信した赤外線信号に応答して、図８〜１３に例示されるような画面を提示するように動作するものである。また、図８〜１３に例示される画面は、ユーザが制御対象の機器を選択することをナビゲートできるようにする一連のグラフィックユーザインターフェイス（ＧＵＩ）ともいい得るものである。
　
（２）引用例の段落【００１９】〜【００２６】、【００４４】の記載を特に参照すると、引用例の【００４４】でいう「リモコン信号」は、テレビジョン受像機１からリモートコマンダ３へ送信される信号であって、リモートコマンダ３を上記「（１）」でいう「制御対象の機器」と通信できるようにする信号である。そして、それをテレビジョン受像機１の視点で見ると、引用例のテレビジョン受像機１は、「リモートコマンダ３へリモコン信号を送信することに応じて、前記リモートコマンダ３が前記機器と通信できるようにするもの」といえる。
　
（３）引用例の図１０に例示される画面は、「機器の種類をユーザに選択させるＧＵＩ」ともいい得るものである。
　
（４）引用例の図１１に例示される画面は、「『機器の種類をユーザに選択させるＧＵＩ』からの機器のタイプの選択に応じて、当該機器のタイプの複数の『メーカーと設定番号の組み』をリストするＧＵＩ」ともいい得るものである。
　
（５）引用例の段落【００４２】〜【００４４】の記載と上記「（４）」を併せ考えると、引用例のテレビジョン受像機１は、「複数の『メーカーと設定番号の組み』をリストするＧＵＩ」のリストから「メーカーと設定番号の組み」をユーザに選択させ、これにより、テレビジョン受像機１に前記リモコン信号を送信させるものといえる。
　
　以上を総合すると、引用例には、次の発明（以下、「引用例記載発明」と呼ぶ。）が記載されているといえる。 
「リモートコマンダ３から受信した赤外線信号に応答して、ユーザが制御対象の機器を選択することをナビゲートできるようにする一連のグラフィックユーザインターフェイス（ＧＵＩ）を提示するように構成され、前記リモートコマンダ３へリモコン信号を送信することに応じて、前記リモートコマンダ３が前記機器と通信できるようにし、
　前記一連のグラフィックユーザインターフェイス（ＧＵＩ）は、『機器の種類をユーザに選択させるＧＵＩ』と、当該『機器の種類をユーザに選択させるＧＵＩ』からの機器のタイプの選択に応じて、当該機器のタイプの『複数の「メーカーと設定番号の組み」をリストするＧＵＩ』とを含み、前記『複数の「メーカーと設定番号の組み」をリストするＧＵＩ』のリストから『メーカーと設定番号の組み』をユーザに選択させ、これにより、テレビジョン受像機１に前記リモコン信号を送信させる、テレビジョン受像機１。」
　
２−３．対比 
　本願補正発明と引用例記載発明とを対比すると、以下のことがいえる。
　
（１）引用例記載発明の「リモートコマンダ３」は、本願補正発明の「遠隔制御装置（１０）」に相当し、引用例記載発明の「リモートコマンダ３から受信した赤外線信号」は、本願補正発明の「遠隔制御装置（１０）から無線で受信したナビゲーション信号」に相当する。
　
（２）引用例記載発明の「制御対象の機器」は、本願補正発明の「制御対象のコンポーネント（３８）」に相当する。
　
（３）引用例記載発明の「リモコン信号」は、本願補正発明の「通信関連情報」に相当する。
　
（４）引用例記載発明の「機器の種類をユーザに選択させるＧＵＩ」は、本願補正発明の「コンポーネントの種類をユーザに選択させる第１のＧＵＩ」に相当する。
　
（５）引用例記載発明でいう「設定番号」は、「機器の種類（タイプ）」と「メーカー」が共通するものの中から更に選択される番号であって、「リモコン信号」を一意に決定するものと解され、本願補正発明でいう「型」を表す番号であると解される。
　
（６）引用例記載発明の「テレビジョン受像機１」は、本願補正発明の「オーディオビデオ（Ａ／Ｖ）機器（２４）」と同様に「オーディオビデオ（Ａ／Ｖ）機器」ともいい得るものである。
　
（７）上記（４）〜（６）の検討内容を踏まえると、引用例記載発明の
「前記一連のグラフィックユーザインターフェイス（ＧＵＩ）は、『機器の種類をユーザに選択させるＧＵＩ』と、当該『機器の種類をユーザに選択させるＧＵＩ』からの機器のタイプの選択に応じて、当該機器のタイプの『複数の「メーカーと設定番号の組み」をリストするＧＵＩ』とを含み、前記『複数の「メーカーと設定番号の組み」をリストするＧＵＩ』のリストから『メーカーと設定番号の組み』をユーザに選択させ、これにより、テレビジョン受像機１に前記リモコン信号を送信させる」
という技術的事項と、本願補正発明の
「前記一連のグラフィックユーザインターフェイス（ＧＵＩ）は、コンポーネントの種類をユーザに選択させる第１のＧＵＩと、当該第１のＧＵＩからのコンポーネントのタイプの選択に応じて、当該コンポーネントのタイプの複数のメーカーをリストする第２のＧＵＩと、当該第２のＧＵＩからのメーカーの選択に応じて、当該第２のＧＵＩから選択されたメーカーによって供給される型のリストを提示する第３のＧＵＩとを含み、第３のＧＵＩのリストから型をユーザに選択させ、これにより、オーディオビデオ（Ａ／Ｖ）機器に前記通信関連情報を送信させる」という発明特定事項は、
「前記一連のグラフィックユーザインターフェイス（ＧＵＩ）は、コンポーネントの種類をユーザに選択させる第１のＧＵＩと、当該第１のＧＵＩからのコンポーネントのタイプの選択に応じて、当該コンポーネントのタイプの複数のメーカーをリストする第２のＧＵＩとを含み、リストから型をユーザに選択させ、これにより、オーディオビデオ（Ａ／Ｖ）機器に前記通信関連情報を送信させる」という技術的事項である点で共通する。
　
　したがって、本願補正発明と引用例記載発明の間には次の一致点、相違点があるといえる。 
 　 
（一致点） 
「遠隔制御装置から無線で受信したナビゲーション信号に応答して、ユーザが制御対象のコンポーネントを選択することをナビゲートできるようにする一連のグラフィックユーザインターフェイス（ＧＵＩ）を提示するように構成され、前記遠隔制御装置へ通信関連情報を送信することに応じて、前記遠隔制御装置が前記コンポーネントと通信できるようにし、
　前記一連のグラフィックユーザインターフェイス（ＧＵＩ）は、コンポーネントの種類をユーザに選択させる第１のＧＵＩと、当該第１のＧＵＩからのコンポーネントのタイプの選択に応じて、当該コンポーネントのタイプの複数のメーカーをリストする第２のＧＵＩとを含み、リストから型をユーザに選択させ、これにより、オーディオビデオ（Ａ／Ｖ）機器に前記通信関連情報を送信させることを特徴とするオーディオビデオ（Ａ／Ｖ）機器。」である点。
　
（相違点１）
　本願補正発明においては、「前記ＧＵＩ（一連のＧＵＩ）」が、「遠隔制御装置へ通信関連情報を送信することに応じて、『遠隔制御装置が正常にプログラムされたこと』を示す」ものとされているのに対し、引用例記載発明においては、「前記ＧＵＩ（一連のＧＵＩ）」は、「遠隔制御装置が正常にプログラムされたこと」を示すものとはされていない点。
　なお、本相違点１に係る本願補正発明の「遠隔制御装置へ通信関連情報を送信することに応じて、『遠隔制御装置が正常にプログラムされたこと』を示す」という要件は、上記「２．」の「２−１．」の「また、」以下に示した解釈に従い、「遠隔制御装置へ通信関連情報が送信された後に、遠隔制御装置からの確認応答信号に応答して、前記遠隔制御装置が正常にプログラムされたことを示す。」という構成を具備することでも満たされるものと解釈する。
　
（相違点２）
　本願補正発明の「一連のグラフィックユーザインターフェイス（ＧＵＩ）」は、
「コンポーネントの種類をユーザに選択させる第１のＧＵＩと、当該第１のＧＵＩからのコンポーネントのタイプの選択に応じて、当該コンポーネントのタイプの複数のメーカーをリストする第２のＧＵＩと、当該第２のＧＵＩからのメーカーの選択に応じて、当該第２のＧＵＩから選択されたメーカーによって供給される型のリストを提示する第３のＧＵＩとを含み、第３のＧＵＩのリストから型をユーザに選択させ、これにより、オーディオビデオ（Ａ／Ｖ）機器に前記通信関連情報を送信させる」
ものであるのに対し、引用例記載発明の「一連のグラフィックユーザインターフェイス（ＧＵＩ）」は、
「コンポーネントの種類をユーザに選択させる第１のＧＵＩと、当該第１のＧＵＩからのコンポーネントのタイプの選択に応じて、当該コンポーネントのタイプの複数のメーカーをリストする第２のＧＵＩとを含み、リストから型をユーザに選択させ、これにより、オーディオビデオ（Ａ／Ｖ）機器に前記通信関連情報を送信させるもの」
ではあるものの、
「当該第２のＧＵＩからのメーカーの選択に応じて、当該第２のＧＵＩから選択されたメーカーによって供給される型のリストを提示する第３のＧＵＩ」に相当するものまでを含むものではなく、「第３のＧＵＩのリスト」から型をユーザに選択させるものでもない点。
　
２−４．判断 
　
（１）（相違点１）について 
　引用例記載発明は、「リモートコマンダ３へリモコン信号を送信することに応じて、前記リモートコマンダ３が前記機器と通信できる」ようにする機能を有するものであるが、そこでいう「リモコン信号」は、テレビジョン受像機１からリモートコマンダ３に対して送信され、当然にリモートコマンダ３内に設定（記憶）されるものである。
　したがって、当該「リモコン信号」は、リモートコマンダ３をプログラムするための信号であるともいうことができる。
　また、上記プログラムが正常に行われなければ上記リモートコマンダ３が、ユーザが意図した機能を発揮しないことは自明のことであり、そこに該プログラムが正常に行われた否かをユーザが確認できるようにすることに対するニーズがあることは、当業者に明らかである。
　してみれば、引用例記載発明において、上記プログラムが正常に行われた否かをユーザが確認できるようにするすること自体は、当業者が容易に推考し得たことである。
　そして、引用例記載発明においては、一連のＧＵＩによってユーザに対する各種情報の提供とユーザからの操作入力の受け付けが行われるのであるから、上記プログラムが正常に行われた否かをユーザが確認できるようにするために、その一連のＧＵＩを使用することは、当業者がごく自然に考えることである。
　以上によれば、引用例記載発明の「一連のＧＵＩ」を、「リモートコマンダ３へリモコン信号を送信することに応じて、『リモートコマンダ３が正常にプログラムされたこと』を示す」ものとすることは、当業者が容易に推考し得たことというべきである。
　そして、そのことは、引用例記載発明において、上記相違点１に係る本願補正発明の構成を採用することが、当業者にとって容易であったことを意味している。
　
（２）（相違点２）について 
　引用例記載発明の「一連のグラフィックユーザインターフェイス（ＧＵＩ）」は、「『機器の種類をユーザに選択させるＧＵＩ』からの機器のタイプの選択に応じて、当該機器のタイプの『複数の「メーカーと設定番号の組み」をリストするＧＵＩ』」を含むものとされ、当該ＧＵＩは、「メーカーと設定番号」、換言すれば「メーカーと型」をユーザに一括して選択させるように構成されているが、引用例の段落【０００６】〜【００１０】等の記載から把握される引用例記載発明の課題に照らせば、引用例記載発明は、一連のＧＵＩがそのように（「メーカーと型」をユーザに一括して選択させるよう）構成されている点に必然性を有するものではなく、該一連のＧＵＩは、最終的に「リモコン信号」を一意に特定するために必要な「型」までを選択させるように構成されていればそれで足りるものと解される。
　そして、そのように最終的に「型」まで選択することができる一連のＧＵＩとして、「メーカーの選択と型の選択を順次行わせるようなＧＵＩ」もあり得ることは、当業者に明らかである（このことは、平成２４年１０月１０日付けの拒絶理由通知に引用文献２として提示された特開２００２−１１８８８７号公報の図２にそのような一連のＧＵＩの例が示されていることからも明らかである。）
　してみれば、引用例記載発明の「一連のグラフィックユーザインターフェイス（ＧＵＩ）」を「メーカーの選択と型の選択を順次行わせるようなＧＵＩ」とすることは、当業者が容易に想到し得たことというべきである。
　そして、そのことは、引用例記載発明において、上記相違点２に係る本願補正発明の構成を採用することが、当業者にとって容易であったことを意味している。
　
（３）本願補正発明の効果について 
　本願発明の構成によってもたらされる効果は、引用例記載発明から当業者が容易に想到し得た構成のものが奏するであろうと当業者が予測し得る範囲を超えるものではなく、本願発明の進歩性を肯定する根拠となり得るものではない。
　
（４）まとめ 
　よって、本願補正発明は、引用例記載発明に基づいて当業者が容易に発明をすることができたものであり、特許法第２９条第２項の規定により、特許出願の際独立して特許を受けることができないものである。 
　
３．むすび 
　したがって、本件補正は、特許法第１７条の２第６項において準用する同法第１２６条第７項の規定に違反するので、同法第１５９条第１項において読み替えて準用する同法第５３条第１項の規定により却下すべきものである。 
　
　
第３　本願発明について 
　
１．本願発明 
　本件補正は上記のとおり却下されたので、本願の請求項１に係る発明（以下、「本願発明」と呼ぶ。）は、平成２５年１月１６日付けの手続補正書の請求項１に記載されたとおりのものであり、上記「第２」の「１．」の＜補正前の請求項１＞の欄に転記したとおりのものである。 
　
２．引用例 
　原査定の拒絶の理由に引用された引用例、およびその記載事項は、上記「第２」の「２．」の「２−２．」の欄に記載したとおりである。 
 　 
３．対比・判断 
　本願発明は、上記「第２」で検討した本願補正発明から、限定事項の一部を省いたものである。 
　そうすると、本願発明の構成要件をすべて含み、さらに特定の限定を施したものに相当する本願補正発明が、上記「第２」の「２．」の欄に記載したとおり、引用例記載発明に基づいて、当業者が容易に発明をすることができたものであるから、本願発明も同様の理由により、引用例記載発明に基づいて、当業者が容易に発明をすることができたものである。 
　
４．むすび 
　以上のとおり、本願発明は、引用例記載発明及び周知の事項に基づいて、当業者が容易に発明をすることができたものであるから、特許法第２９条第２項の規定により特許を受けることができない。 
　したがって、本願は、他の請求項について検討するまでもなく、拒絶されるべきものである。 
　よって、結論のとおり審決する。